(57)【要約】【課題】美的効果が得られるとともに、手摺本体が冷えるのを防止することができる手摺を提供すること。【解決手段】手摺１は、建築物に設置されるものである。この手摺１は、長尺状をなす手摺本体２と、手摺本体２を支持する８本の支持柱３と、手摺本体２および３本の支持柱３に設置され、発光するとともに発熱する少なくとも１つのＬＥＤ光源を有する照明装置９ａ、９ｂ、９ｃおよび９ｄとを備えている。各照明装置９ａ、９ｂ、９ｃおよび９ｄは、それぞれ、ＬＥＤ光源が発する光により照明を行なうとともに、ＬＥＤ光源が発する熱により手摺本体２を加温するよう構成されている。【選択図】図１
2007332566.tif 000002
【特許請求の範囲】
【請求項１】
建築物に設置される手摺であって、
長尺状をなす手摺本体と、
前記手摺本体を支持する支持部材と、
前記手摺本体および／または前記支持部材に設置され、発光するとともに発熱する少なくとも１つのＬＥＤ光源を有する照明装置とを備え、
前記照明装置は、前記ＬＥＤ光源が発する光により照明を行なうとともに、前記ＬＥＤ光源が発する熱により前記手摺本体を加温するよう構成されていることを特徴とする手摺。
【請求項２】
前記照明装置は、前記ＬＥＤ光源を複数有し、該複数のＬＥＤ光源が前記手摺本体にその長手方向に沿って連設されている請求項１に記載の手摺。
【請求項３】
前記照明装置は、前記ＬＥＤ光源を複数有し、該複数のＬＥＤ光源が前記支持部材に沿って連設されている請求項１または２に記載の手摺。
【請求項４】
前記支持部材は、前記手摺本体の長手方向に沿って複数設置された支持柱であり、
前記照明装置は、前記複数の支持柱に対し、少なくとも１本おきに設置されている請求項３に記載の手摺。
【請求項５】
前記照明装置は、前記各ＬＥＤ光源のそれぞれに対して印加する電圧の大小により、照明の程度と加温の程度とを設定し得るよう構成されている請求項２ないし４のいずれかに記載の手摺。
【請求項６】
前記照明装置は、前記各ＬＥＤ光源のそれぞれに対する通電／切電を選択し得るよう構成されている請求項２ないし５のいずれかに記載の手摺。
【請求項７】
前記ＬＥＤ光源は、前記照明装置が作動中か否かを示すパイロットランプとしての機能を有する請求項１ないし６のいずれかに記載の手摺。
【請求項８】
前記ＬＥＤ光源の近傍には、該ＬＥＤ光源の熱を蓄熱する蓄熱部が設けられており、
前記ＬＥＤ光源の熱が、前記蓄熱部に蓄熱され、該蓄熱部から放熱される請求項１ないし７のいずれかに記載の手摺。
【請求項９】
前記照明装置は、前記ＬＥＤ光源を支持する光源支持部を有し、
前記ＬＥＤ光源の熱が、前記光源支持部に蓄熱され、該光源支持部から放熱されるよう構成されている請求項１ないし８のいずれかに記載の手摺。
【発明の詳細な説明】
【技術分野】
【０００１】
本発明は、建築物に設置される手摺に関する。
【背景技術】
【０００２】
住宅等の建築物の階段には、例えば、特許文献１に記載された手摺（階段用手摺り）が設置されている。
【０００３】
しかしながら、この従来の手摺は、階段を昇降する際に把持して、その昇降を補助する機能、すなわち、手摺としての機能しか有していなかった。
【０００４】
【特許文献１】特開２００３−１０５９４６号公報
【発明の開示】
【発明が解決しようとする課題】
【０００５】
本発明の目的は、美的効果が得られるとともに、手摺本体が冷えるのを防止することができる手摺を提供することにある。
【課題を解決するための手段】
【０００６】
このような目的は、下記（１）〜（９）の本発明により達成される。
（１）  建築物に設置される手摺であって、
長尺状をなす手摺本体と、
前記手摺本体を支持する支持部材と、
前記手摺本体および／または前記支持部材に設置され、発光するとともに発熱する少なくとも１つのＬＥＤ光源を有する照明装置とを備え、
前記照明装置は、前記ＬＥＤ光源が発する光により照明を行なうとともに、前記ＬＥＤ光源が発する熱により前記手摺本体を加温するよう構成されていることを特徴とする手摺。
【０００７】
（２）  前記照明装置は、前記ＬＥＤ光源を複数有し、該複数のＬＥＤ光源が前記手摺本体にその長手方向に沿って連設されている上記（１）に記載の手摺。
【０００８】
（３）  前記照明装置は、前記ＬＥＤ光源を複数有し、該複数のＬＥＤ光源が前記支持部材に沿って連設されている上記（１）または（２）に記載の手摺。
【０００９】
（４）  前記支持部材は、前記手摺本体の長手方向に沿って複数設置された支持柱であり、
前記照明装置は、前記複数の支持柱に対し、少なくとも１本おきに設置されている上記（３）に記載の手摺。
【００１０】
（５）  前記照明装置は、前記各ＬＥＤ光源のそれぞれに対して印加する電圧の大小により、照明の程度と加温の程度とを設定し得るよう構成されている上記（２）ないし（４）のいずれかに記載の手摺。
【００１１】
（６）  前記照明装置は、前記各ＬＥＤ光源のそれぞれに対する通電／切電を選択し得るよう構成されている上記（２）ないし（５）のいずれかに記載の手摺。
【００１２】
（７）  前記ＬＥＤ光源は、前記照明装置が作動中か否かを示すパイロットランプとしての機能を有する上記（１）ないし（６）のいずれかに記載の手摺。
【００１３】
（８）  前記ＬＥＤ光源の近傍には、該ＬＥＤ光源の熱を蓄熱する蓄熱部が設けられており、
前記ＬＥＤ光源の熱が、前記蓄熱部に蓄熱され、該蓄熱部から放熱される上記（１）ないし（７）のいずれかに記載の手摺。
【００１４】
（９）  前記照明装置は、前記ＬＥＤ光源を支持する光源支持部を有し、
前記ＬＥＤ光源の熱が、前記光源支持部に蓄熱され、該光源支持部から放熱されるよう構成されている上記（１）ないし（８）のいずれかに記載の手摺。
【発明の効果】
【００１５】
本発明によれば、ＬＥＤ光源が発光することにより照明を行い、よって、美的効果や癒し効果（リラクゼーション効果）が得られる。
【００１６】
また、ＬＥＤ光源が発熱することにより、その熱が手摺本体に伝わり、よって、当該手摺本体が加温されて冷えるのを防止することができる。これにより、例えば冬季に手摺本体を触れたときに当該手摺本体が冷たく感じる、すなわち、不快感が生じるのが解消され、よって、建築物において快適に活動することができる。
【００１７】
また、複数のＬＥＤ光源を手摺本体にその長手方向に沿って連設して設置した場合には、各ＬＥＤ光源が点灯した際に手摺本体を均一かつ確実に加温することができる。
【発明を実施するための最良の形態】
【００１８】
以下、本発明の手摺を添付図面に示す好適な実施形態に基づいて詳細に説明する。
＜第１実施形態＞
図１は、本発明の手摺（第１実施形態）を建築物の階段に設置した状態を示す側面図、図２は、図１に示す手摺の照明装置の断面斜視図、図３は、発明における照明装置のＬＥＤユニットの構成例を示す斜視図、図４は、本発明における照明装置のＬＥＤ光源の構成例を示す図（（Ａ）は平面図、（Ｂ）は正面図、（Ｃ）は断面図）である。なお、以下では、説明の都合上、図１および図２中の上側を「基端」、下側を「先端」と言う。なお、説明の都合上、図１および図２（図５〜図１５も同様）において、上側を「上」、下側を「下」、左側を「左」、右側を「右」として説明する。また、図１および図２（図５〜図１５も同様）中の上下方向が鉛直方向、左右方向が水平方向である。
【００１９】
図１に示す手摺１は、住宅（建築物）に設置して使用されるものである。本実施形態では、手摺１を住宅の階段２０に設置した場合を一例に挙げて説明する。階段２０は、図１の構成では、その段数が８段のものである。
【００２０】
手摺１は、手摺本体２と、手摺本体２を支持する支持部材としての複数（本実施形態では８本）の支持柱３と、手摺本体２および３本の支持柱３にそれぞれ設置された照明装置９ａ、９ｂ、９ｃおよび９ｄとを備えている。以下、各部の構成について説明する。
【００２１】
手摺本体２は、人の手が触れる部分であり、階段２０を昇降する際に把持して、その昇降を補助する機能を有する。この手摺本体２は、図２の構成では横断面形状がほぼ「コ」字状をなす長尺体で構成され、その開口部２１が通路側（内側）を向くように各支持柱３を介して階段２０に設置されている。また、手摺本体２は、階段２０の傾斜方向とほぼ同方向に傾斜して設置されている。
【００２２】
なお、手摺本体２の構成材料としては、特に限定されないが、例えば、アルミニウムやアルミニウム系合金、木材等が挙げられる。
【００２３】
また、手摺本体２の各角部２２は、丸みを帯びているのが好ましい。これにより、手摺本体２が把持され易いものとなる。
【００２４】
手摺本体２には、その長手方向（傾斜方向）に沿って、８本の支持柱３が配置されている。各支持柱３は、手摺本体２の下板２３と、階段２０の各段の踏板２０１とを連結するものである。
【００２５】
このような支持柱３により、手摺本体２を強固かつ確実に階段２０に設置することができ、よって、階段２０を昇降する際に把持してその昇降を確実に補助することができる。
【００２６】
なお、各支持柱３の構成材料としては、特に限定されないが、例えば、アルミニウムやアルミニウム系合金等が挙げられる。
【００２７】
図１に示すように、手摺本体２と、８本の支持柱３のうちの３本の支持柱３には、それぞれ、照明装置９ａ、９ｂ、９ｃおよび９ｄが設置されている。照明装置９ａは、手摺本体２に設置されている。照明装置９ｂは、図１中左側から２本目の支持柱３に設置されている。照明装置９ｃは、図１中左側から５本目の支持柱３に設置されている。照明装置９ｄは、図１中左側から８本目（最も右側）の支持柱３に設置されている。
【００２８】
各照明装置９ａ、９ｂ、９ｃおよび９ｄの構成は、それぞれ、ほぼ同一であるため、以下、照明装置９ａについて代表的に説明する。
【００２９】
照明装置９ａは、ＬＥＤユニット９０と、ＬＥＤユニット９０（ＬＥＤ光源９１）を支持する光源支持部９９とを有している。
【００３０】
図２および図３に示すように、照明装置９ａは、複数（本実施形態では８つ）の図４に示すＬＥＤ（発光ダイオード）光源９１を、手摺本体２に沿って連設してなるＬＥＤユニット９０を有している。このＬＥＤユニット９０としては、図３（Ａ）に示すように、パッケージ化されたもの、図３（Ｂ）に示すように、その表面が絶縁された通電用の導線（ケーブル）等で繋がっているもの等、種々の形態のものを用いることができる。なお、本実施形態では、代表的に、図３（Ａ）に示すパッケージ化されたＬＥＤユニット９０を用いた場合について説明する。
【００３１】
図３に示すように、ＬＥＤ光源９１は、発光するとともに発熱するものである。このＬＥＤ光源９１は、矩形板状の基盤９２と、基盤９２の一方の面（図３（Ｃ）において上側の面）上に設けられた反射板９３と、ＬＥＤ素子９４と、蛍光体９５と、レンズ９６とを備えている。
【００３２】
基盤９２は、矩形の金属板が多層に積層されて形成されている。また、基盤９２には、プラス電極９７とマイナス電極９８とが、その多層の金属板の間に挟まれて取り付けられている。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００３３】
また、反射板９３は、枠状をなし、基盤９２の外周部に設置されており、その内面において光を反射する。
【００３４】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有している。このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００３５】
また、蛍光体９５は、ＬＥＤ素子９４を覆うように形成されており、レンズ９６は、反射板９３の内面および蛍光体９５を覆うように形成されている。
【００３６】
ＬＥＤユニット９０は、図３（Ａ）に示すように、複数のＬＥＤ光源９１が略直線状に連設され、パッケージ化されており、長尺状をなしている。
【００３７】
また、ＬＥＤユニット９０は、それぞれ、導線により電源１０に接続されており、その電源１０から電流（例えば、低電圧直流電流）が供給されると、駆動し、各ＬＥＤ光源９１がそれぞれ点灯（発光）する（図２参照）。
【００３８】
また、各ＬＥＤ光源９１が発する光（照明光）の色、すなわち、各ＬＥＤ素子９４における発光色は、白色であってもよく、また、例えば、赤色、緑色、青色等の種々のカラー色であってもよい。
【００３９】
また、ＬＥＤユニット９０において、各ＬＥＤ素子９４における発光色は、同一であってもよく、また、異なっていてもよい（異なる色を任意に組み合わせてもよい）。
【００４０】
図２に示すように、このような構成のＬＥＤユニット９０（照明装置９ａ）は、各ＬＥＤ光源９１の光軸の方向が、内側（水平方向）を向いている。これにより、各ＬＥＤ光源９１が点灯した際、階段２０の人が通過する各段を照明することができ、階段２０を安全に通過することができる。また、このような照明により、美的効果や癒し効果（リラクゼーション効果）が得られる。
【００４１】
ＬＥＤユニット９０は、光源支持部９９を介して手摺本体２に設置されている。この光源支持部９９は、手摺本体２と一体的に形成された長尺状をなすものである。
【００４２】
各ＬＥＤ光源９１で発生した熱の一部は、光源支持部９９に蓄熱（吸熱）され、当該光源支持部９９から放熱される。これにより、各ＬＥＤ光源９１で発生した熱の一部を効率良く放熱することができ、これによって、各ＬＥＤ光源９１の温度上昇による発光効率の減少を抑制（または防止）することができ、これにより、効率良く照明することができる。このように光源支持部９９は、各ＬＥＤ光源９１の熱を蓄熱する蓄熱部ということができる。
【００４３】
なお、光源支持部９９は、手摺本体２と一体的に形成されたものであるのに限定されず、例えば、手摺本体２と別体で構成し、これを手摺本体２に接合したものであってもよい。光源支持部９９が手摺本体２と別体で構成された場合、光源支持部９９の構成材料としては、特に限定されず、例えばアルミニウムやアルミニウム系合金等の熱伝導性が比較的高い金属材料が挙げられる。
【００４４】
また、各ＬＥＤ光源９１と手摺本体２の上板２４との間には、間隙（空気層）２５が形成されており、各ＬＥＤ光源９１と手摺本体２の下板２３との間には、間隙（空気層）２６が形成されている。各間隙２５および２６内をそれぞれ、空気が通過することができる。これにより、各ＬＥＤ光源９１で発生した熱の一部が各間隙２５および２６を介して放熱することができ、よって、各ＬＥＤ光源９１の温度上昇による発光効率の減少を抑制（または防止）することができる。これにより、効率良く照明することができる。
【００４５】
前述した照明装置９ａと同様に、照明装置９ｂ〜９ｄにおいても、複数のＬＥＤ光源９１が支持柱３に沿って連設されている。また、各ＬＥＤ光源９１の光源がそれぞれ内側を向いている。
【００４６】
また、前述したように、照明装置９ｂは、図１中左側から２本目の支持柱３に設置され、照明装置９ｃは、図１中左側から５本目の支持柱３に設置され、照明装置９ｄは、図１中左側から８本目の支持柱３に設置されている。すなわち、各照明装置９ｂ〜９ｄは、８本の支持柱３に対し、２本おきに設置されている。
【００４７】
このような配置により、階段２０全体をほぼ均一に照明することができるとともに、階段２０を過剰に照明するのを防止することができる。また、手摺１における消費電力を抑制することができる、すなわち、省エネルギに寄与する。
【００４８】
次に、手摺１の作用について説明する。前述したように、各照明装置９ａ、９ｂ、９ｃおよび９ｄの構成は、それぞれ、ほぼ同一であるため、以下、照明装置９ａについて代表的に説明する。
【００４９】
照明装置９ａの各ＬＥＤ光源９１が点灯（発光）すると、各ＬＥＤ光源９１から光が発せられる。この光は、手摺本体２の開口部２１を介して、照射され、階段２０が照明される。すなわち、手摺本体２の開口部２１を介して、照明光を見ることができる。この照明により、美的効果や癒し効果（リラクゼーション効果）が得られる。
【００５０】
また、各ＬＥＤ光源９１は熱を発するため、その熱の一部が、光源支持部９９と間隙２５および２６とを介して、手摺本体２に伝わる。これにより、手摺本体２は、加温されることとなる。これにより、例えば冬季に手摺本体２を触れたときに当該手摺本体２が冷たく感じる、すなわち、不快感が生じるのが解消され、よって、住宅において快適に生活することができる。
【００５１】
図２に示すように、照明装置９ａ（照明装置９ｂ〜９ｄも同様）では、電源１０と各ＬＥＤ光源９１との間に、可変抵抗器１１が設置されている。これにより、各ＬＥＤ光源９１のそれぞれに対して印加する電圧の大小を変えることができる。これにより、例えば、冬季には、可変抵抗器１１の抵抗値を最小にして、各ＬＥＤ光源９１のそれぞれに対して印加可能な最大電圧を印加して、加温の程度を上げる（高める）ことができる。よって、比較的冷たい（冷却された）手摺本体２を十分に加温することができる。また、冬季より暖かい春季や秋季には、可変抵抗器１１の抵抗値を比較的大きく設定して、各ＬＥＤ光源９１のそれぞれに対する電圧を最大電圧より小さく設定する。これにより、加温の程度を抑制することができ、よって、手摺本体２を過剰に加温するのを防止することができる。
【００５２】
このように、照明装置９ａでは、季節に応じて加温の程度を変更するこができ、よって、手摺本体２を過不足なく加温することができる。これにより、住宅においてより快適に生活することができる。
【００５３】
また、各ＬＥＤ光源９１のそれぞれに対して印加する電圧の大小を変えることにより、照明の程度を適宜設定することができる。例えば、夜間には、可変抵抗器１１の抵抗値を最小にして、各ＬＥＤ光源９１のそれぞれに対して印加可能な最大電圧を印加して、照明の程度を上げることができる。これにより、階段２０を確実に照明することができ、よって、階段２０を安全に昇降することができる。また、手摺本体２の位置を確実に把握することができる。また、昼間には、可変抵抗器１１の抵抗値を比較的大きく設定して、各ＬＥＤ光源９１のそれぞれに対する電圧を最大電圧より小さく設定する。これにより、照明の程度を抑制することができる。
【００５４】
図２に示すように、照明装置９ａ（照明装置９ｂ〜９ｄも同様）では、電源１０と各ＬＥＤ光源９１との間に、スイッチ１２が設置されている。これにより、各ＬＥＤ光源９１のそれぞれに対する通電／切電を選択することができる。例えば、冬季には、全てのスイッチ１２をＯＮにして（入れて）、全てのＬＥＤ光源９１を点灯することができる。これにより、加温の程度を上げることができ、よって、比較的冷たい手摺本体２を十分に加温することができる。また、春季や秋季には、例えば４つのスイッチ１２をＯＮ、残りの４つのスイッチ１２をＯＦＦにして、スイッチ１２がＯＮの状態の４つのＬＥＤ光源９１のみを点灯してもよい。これにより、加温の程度を抑制することができ、よって、手摺本体２を過剰に加温するのを防止することができる。
【００５５】
また、各ＬＥＤ光源９１のそれぞれに対する通電／切電を選択することにより、前述した各ＬＥＤ光源９１のそれぞれに対して印加する電圧の大小を変えた場合の照明の程度とほぼ同様に、照明の程度も適宜設定することができる。
【００５６】
また、照明装置９ａが作動しているときは、各ＬＥＤ光源９１はそれぞれ点灯し、逆に、照明装置９ａが作動していない（例えば、照明装置９ａの電源１０がＯＦＦされている）ときは、各ＬＥＤ光源９１はそれぞれ消灯するよう構成されている。これにより、ＬＥＤユニット９０（ＬＥＤ光源９１）は、照明装置９ａが作動中か否かを示すパイロットランプとして機能する。これにより、照明装置９ａが作動中か否かを容易かつ確実に把握することができる。
【００５７】
また、照明装置９ｂ（照明装置９ｃおよび９ｄも同様）では、各ＬＥＤ光源９１の熱が支持柱３を介して、手摺本体２に伝わる。これにより、手摺本体２をより確実に加温することができる。
【００５８】
以上説明したように、この手摺１によれば、ＬＥＤ光源９１の発光（照明）により、美的効果や癒し効果（リラクゼーション効果）が得られるとともに、ＬＥＤ光源９１の発熱により、手摺本体に対する加温効果等の前述した種々の効果が得られる。
【００５９】
また、手摺１では、照明装置９ａが手摺本体２の長手方向に設置されているため、当該手摺本体２を均一かつ確実に加温することができる。
【００６０】
また、照明装置９ｂ（照明装置９ｃおよび９ｄも同様）が支持柱３の長手方向に設置されているため、各ＬＥＤ光源９１の熱が十分かつ確実に手摺本体２に伝わる。これにより、手摺本体２をより確実に加温することができる。
【００６１】
また、手摺１では、各ＬＥＤ光源９１の光は、その光軸が階段２０の内側に向いて照射されているが、これに限定されず、いずれの方向であってもよい。
【００６２】
例えば、各ＬＥＤ光源９１の光は、その光軸が階段２０の外側に向いて照射されていてもよい。この場合、階段２０の外側に壁が設置されていると、各ＬＥＤ光源９１の光が前記壁で反射することとなる、すなわち、各ＬＥＤ光源９１が間接照明となる。これにより、美的効果や癒し効果（リラクゼーション効果）が得られる。一般的に、間接照明は、美的効果や癒し効果があると言われている。
【００６３】
また、各ＬＥＤ光源９１の光は、その光軸が鉛直上方または鉛直下方に向いて照射されていてもよい。
【００６４】
このように各ＬＥＤ光源９１の光の光軸の方向はいずれの方向であってもよいことは、後述する各実施形態においても同様に言うことができる。
【００６５】
＜第２実施形態＞
図５は、本発明の手摺の第２実施形態を示す横断面図である。
【００６６】
以下、この図を参照して本発明の手摺の第２実施形態について説明するが、前述した実施形態との相違点を中心に説明し、同様の事項はその説明を省略する。
【００６７】
本実施形態は、手摺本体に透光板が設置されていること以外は前記第１実施形態と同様である。
【００６８】
図５に示す手摺１Ａの手摺本体２の開口部２１には、当該開口部２１を覆う透光板４が設置されている。透光板４は、光透過性を有する板状体で構成されたものである。
【００６９】
この透光板４を介して、各ＬＥＤ光源９１の光を視認することができる。また、透光板４により、各ＬＥＤ光源９１が汚れるのを防止することができ、よって、各ＬＥＤ光源９１の光が鮮明なものとなる。
【００７０】
なお、透光板４は、レンズとしての機能を有していてもよい。これにより、透光板４を介して照射された各ＬＥＤ光源９１の光を拡散することができ、よって、美的効果が向上する。
【００７１】
また、透光板４の構成材料としては、特に限定されないが、例えば、各種ガラス材料や各種プラスチック材料を用いることができる。
【００７２】
＜第３実施形態＞
図６は、本発明の手摺の第３実施形態を示す横断面図である。
【００７３】
以下、この図を参照して本発明の手摺の第３実施形態について説明するが、前述した実施形態との相違点を中心に説明し、同様の事項はその説明を省略する。
【００７４】
本実施形態は、ＬＥＤ光源の設置方向（設置形態）が異なること以外は前記第２実施形態と同様である。
【００７５】
図６に示す手摺１Ｂでは、各ＬＥＤ光源９１が、その光軸が鉛直上方を向くように設置されている。これにより、各ＬＥＤ光源９１の光の一部が手摺本体２の上板２４に反射し、当該反射した光（反射光）が透光板４を透過して階段２０の内側に向かって照射される。このように、各ＬＥＤ光源９１が間接照明となり、よって、美的効果や癒し効果（リラクゼーション効果）が得られる。
【００７６】
＜第４実施形態＞
図７は、本発明の手摺の第４実施形態を示す横断面図である。
【００７７】
以下、この図を参照して本発明の手摺の第４実施形態について説明するが、前述した実施形態との相違点を中心に説明し、同様の事項はその説明を省略する。
【００７８】
本実施形態は、ＬＥＤ光源の設置方向（設置形態）が異なること以外は前記第２実施形態と同様である。
【００７９】
図７に示す手摺１Ｃでは、各ＬＥＤ光源９１が、その光軸が鉛直下方を向くように設置されている。これにより、各ＬＥＤ光源９１の光の一部が手摺本体２の下板２３に反射し、当該反射した光（反射光）が透光板４を透過して階段２０の内側に向かって照射される。これにより、前記第３実施形態とほぼ同様の効果を得る。
【００８０】
＜第５実施形態＞
図８は、本発明の手摺の第５実施形態を示す横断面図である。
【００８１】
以下、この図を参照して本発明の手摺の第５実施形態について説明するが、前述した実施形態との相違点を中心に説明し、同様の事項はその説明を省略する。
本実施形態は、手摺本体の形状が異なること以外は前記第３実施形態と同様である。
【００８２】
図８に示す手摺１Ｄの手摺本体２Ａは、下板２３が手摺本体２Ａのそれ以外の部位（上板２４）より厚くなっている。また、この下板２３には、各ＬＥＤ光源９１が支持されて（設置されて）いる。
【００８３】
このような下板２３には、各ＬＥＤ光源９１で発生した熱の一部が蓄熱（吸熱）され、下板２３から放熱される。これにより、各ＬＥＤ光源９１で発生した熱の一部を効率良く放熱することができ、よって、各ＬＥＤ光源９１の温度上昇による発光効率の減少を抑制（または防止）することができる。
【００８４】
このように、下板２３は、各ＬＥＤ光源９１で発生した熱の一部が蓄熱する蓄熱部としての機能を有する。
【００８５】
＜第６実施形態＞
図９は、本発明の手摺の第６実施形態を示す横断面図である。
【００８６】
以下、この図を参照して本発明の手摺の第６実施形態について説明するが、前述した実施形態との相違点を中心に説明し、同様の事項はその説明を省略する。
本実施形態は、手摺本体の形状が異なること以外は前記第１実施形態と同様である。
【００８７】
図９に示す手摺１Ｅの手摺本体２Ｂは、上板２４と下板２３とを連結する連結板２７が、手摺本体２Ａのそれ以外の部位（上板２４および下板２３）より厚くなっている。また、この連結板２７には、各ＬＥＤ光源９１が支持されている。
【００８８】
このような連結板２７には、各ＬＥＤ光源９１で発生した熱の一部が蓄熱（吸熱）され、連結板２７から放熱される。これにより、前記第５実施形態の下板２３とほぼ同様の効果を得る。
【００８９】
＜第７実施形態＞
図１０は、本発明の手摺の第７実施形態を示す横断面図である。
【００９０】
以下、この図を参照して本発明の手摺の第７実施形態について説明するが、前述した実施形態との相違点を中心に説明し、同様の事項はその説明を省略する。
本実施形態は、手摺本体の形状が異なること以外は前記第４実施形態と同様である。
【００９１】
図１０に示す手摺１Ｆの手摺本体２Ｃは、上板２４が手摺本体２Ｃのそれ以外の部位（下板２３および連結板２７）より厚くなっている。また、この上板２４には、各ＬＥＤ光源９１が支持されている。
【００９２】
このような上板２４には、各ＬＥＤ光源９１で発生した熱の一部が蓄熱（吸熱）され、下板２３から放熱される。これにより、前記第５実施形態の下板２３とほぼ同様の効果を得る。
【００９３】
＜第８実施形態＞
図１１は、本発明の手摺の第８実施形態を示す横断面図である。
【００９４】
以下、この図を参照して本発明の手摺の第８実施形態について説明するが、前述した実施形態との相違点を中心に説明し、同様の事項はその説明を省略する。
【００９５】
本実施形態は、手摺本体の形状と照明装置の構成とが異なること以外は前記第１実施形態と同様である。
【００９６】
図１１に示す手摺１Ｇの手摺本体２Ｄは、長尺状をなす中実な部材で構成されている。この手摺本体２Ｄは、その外周面が丸みを帯びている、すなわち、円弧状をなしている。これにより、手摺本体２Ｄが把持され易いものとなる。
【００９７】
また、手摺本体２Ｄには、階段２０の内側に向かって開口した凹部２８が形成されている。この凹部２８には、後述する照明装置９ｅが収納（埋設）される。
【００９８】
照明装置９ｅは、筐体１３と、ＬＥＤユニット９０と、光源支持部９９とを有している。ＬＥＤユニット９０および光源支持部９９については、その説明を省略する。
【００９９】
筐体１３は、横断面形状が「コ」字状をなす長尺な部材で構成されている。筐体１３の構成材料としては、特に限定されないが、例えば、アルミニウムやアルミニウム系合金等が挙げられる。
【０１００】
筐体１３の下板１３１には、光源支持部９９が一体的に（または連結して）設けられている。
【０１０１】
また、光源支持部９９には、各ＬＥＤ光源９１の光軸が鉛直上方を向くように、ＬＥＤユニット９０が固定的に設置されている。
【０１０２】
このような構成の照明装置９ｅは、ユニット化されている。これにより、照明装置９ｅを手摺本体２Ｄの凹部２８に容易かつ確実に設置することができ、よって、手摺１Ｇを容易に製造することができる。
【０１０３】
＜第９実施形態＞
図１２は、本発明の手摺の第９実施形態を示す横断面図である。
【０１０４】
以下、この図を参照して本発明の手摺の第９実施形態について説明するが、前述した実施形態との相違点を中心に説明し、同様の事項はその説明を省略する。
【０１０５】
本実施形態は、ＬＥＤ光源の設置方向（設置形態）が異なること以外は前記第８実施形態と同様である。
【０１０６】
図１２に示す手摺１Ｈの照明装置９ｆでは、各ＬＥＤ光源９１が、その光軸が階段２０の内側（水平方向）を向くように設置されている。これにより、階段２０の内側が確実に照明され、よって、美的効果が得られる。
また、筐体１３の開口部１３２には、透光板４が固定的に設置されている。
【０１０７】
このような照明装置９ｆは、ユニット化されたものであり、よって、前記第８実施形態の照明装置９ｅとほぼ同様の効果を得る。
【０１０８】
＜第１０実施形態＞
図１３は、本発明の手摺の第１０実施形態を示す横断面図である。
【０１０９】
以下、この図を参照して本発明の手摺の第１０実施形態について説明するが、前述した実施形態との相違点を中心に説明し、同様の事項はその説明を省略する。
本実施形態は、筐体の形状が異なること以外は前記第９実施形態と同様である。
【０１１０】
図１３に示す手摺１ｉの照明装置９ｇの筐体１３ａは、その横断面形状が「Ｈ」字状（または「エ」字状）をなす部材で構成されている。
【０１１１】
この筐体１３ａを有する照明装置９ｇを手摺本体２Ｄに設置した際、筐体１３ａと手摺本体２Ｄの間に空間１３３が形成される。
【０１１２】
このような構成の手摺１ｉでは、各ＬＥＤ光源９１で発生した熱の一部が光源支持部９９に蓄熱（吸熱）され、その蓄熱された熱が空間１３３を介して放熱される。これにより、各ＬＥＤ光源９１で発生した熱の一部を効率良く放熱することができ、よって、各ＬＥＤ光源９１の温度上昇による発光効率の減少を抑制（または防止）することができる。
【０１１３】
＜第１１実施形態＞
図１４は、本発明の手摺の第１１実施形態を示す横断面図である。
【０１１４】
以下、この図を参照して本発明の手摺の第１１実施形態について説明するが、前述した実施形態との相違点を中心に説明し、同様の事項はその説明を省略する。
本実施形態は、手摺本体の形状が異なること以外は前記第９実施形態と同様である。
【０１１５】
図１４に示す手摺１Ｊの手摺本体２Ｅは、その横断面形状が「Ｃ」字状をなす部材で構成されている。
【０１１６】
この手摺本体２Ｅに照明装置９ｆを設置した際、手摺本体２Ｅの内周面２９と照明装置９ｆの筐体１３の外周面１３４とで画成された空間３０が形成される。
【０１１７】
このような構成の手摺１Ｊでは、各ＬＥＤ光源９１で発生した熱の一部が光源支持部９９に蓄熱（吸熱）され、その蓄熱された熱が空間３０を介して放熱される。これにより、前記第１０実施形態の手摺１ｉとほぼ同様の効果を得る。
【０１１８】
＜第１２実施形態＞
図１５は、本発明の手摺の第１２実施形態を示す横断面図である。
【０１１９】
以下、この図を参照して本発明の手摺の第１２実施形態について説明するが、前述した実施形態との相違点を中心に説明し、同様の事項はその説明を省略する。
【０１２０】
本実施形態は、ＬＥＤ光源の設置方向（設置形態）が異なること以外は前記第１１実施形態と同様である。
【０１２１】
図１５に示す手摺１Ｋの照明装置９ｈでは、各ＬＥＤ光源９１が、その光軸が鉛直下方を向くように設置されている。これにより、各ＬＥＤ光源９１の光の一部が筐体１３の下板１３１に反射し、当該反射した光（反射光）が開口部１３２を介して階段２０の内側に向かって照射される。このように、各ＬＥＤ光源９１が間接照明となり、よって、美的効果や癒し効果（リラクゼーション効果）が得られる。
【０１２２】
また、手摺１Ｋでは、前記第１１実施形態の手摺１Ｊと同様に、空間３０が形成される。これにより、前記第１１実施形態の手摺１Ｊとほぼ同様の効果（放熱による効果）を得る。
【０１２３】
以上、本発明の手摺を図示の実施形態について説明したが、本発明は、これに限定されるものではなく、手摺を構成する各部は、同様の機能を発揮し得る任意の構成のものと置換することができる。また、任意の構成物が付加されていてもよい。
【０１２４】
また、本発明の手摺は、前記各実施形態のうちの、任意の２以上の構成（特徴）を組み合わせたものであってもよい。
【０１２５】
また、本発明の手摺が設置される建築物としては、住宅に限定されず、例えば、駅やビル等の公共の施設、橋（歩道橋）等が挙げられる。
【０１２６】
また、本発明の手摺は、階段の手摺として使用されるのに限定されず、例えば、廊下の手摺や窓枠の手摺として使用されていてもよいし、エレベータの手摺として使用されていてもよい。
【０１２７】
また、手摺本体を支持する支持部材としては、手摺本体の長手方向に沿って配置された複数の支持柱で構成されたものであるに限定されず、例えば、手摺本体の長手方向に沿って設置された板状体で構成されたものであってもよい。
【０１２８】
また、照明装置は、手摺本体および支持部材（支持柱）にそれぞれ設置されているのに限定されず、例えば、手摺本体および支持部材の一方に設置されていてもよい。
【０１２９】
また、照明装置は、階段にも設置されていてもよい。これにより、夜間に足元（階段）を照明することができ、よって、階段を安全に昇降することができる。
【０１３０】
また、支持柱に設置された照明装置は、複数の支持柱３に対し、２本おきに設置されているが、これに限定されず、例えば、１本おきや３本おきに設置されていてもよい。
【図面の簡単な説明】
【０１３１】
【図１】本発明の手摺（第１実施形態）を建築物の階段に設置した状態を示す側面図である。
【図２】図１に示す手摺の照明装置の断面斜視図である。
【図３】発明における照明装置のＬＥＤユニットの構成例を示す斜視図である。
【図４】本発明における照明装置のＬＥＤ光源の構成例を示す図（（Ａ）は平面図、（Ｂ）は正面図、（Ｃ）は断面図）である。
【図５】本発明の手摺の第２実施形態を示す横断面図である。
【図６】本発明の手摺の第３実施形態を示す横断面図である。
【図７】本発明の手摺の第４実施形態を示す横断面図である。
【図８】本発明の手摺の第５実施形態を示す横断面図である。
【図９】本発明の手摺の第６実施形態を示す横断面図である。
【図１０】本発明の手摺の第７実施形態を示す横断面図である。
【図１１】本発明の手摺の第８実施形態を示す横断面図である。
【図１２】本発明の手摺の第９実施形態を示す横断面図である。
【図１３】本発明の手摺の第１０実施形態を示す横断面図である。
【図１４】本発明の手摺の第１１実施形態を示す横断面図である。
【図１５】本発明の手摺の第１２実施形態を示す横断面図である。
【符号の説明】
【０１３２】
１、１Ａ、１Ｂ、１Ｃ、１Ｄ、１Ｅ、１Ｆ、１Ｇ、１Ｈ、１ｉ、１Ｊ、１Ｋ  手摺
２、２Ａ、２Ｂ、２Ｃ、２Ｄ、２Ｅ  手摺本体
２１              開口部
２２              角部
２３              下板
２４              上板
２５、２６        間隙（空気層）
２７              連結板
２８              凹部
２９              内周面
３                支持柱
４                透光板
９ａ、９ｂ、９ｃ、９ｄ、９ｅ、９ｆ、９ｇ、９ｈ  照明装置
９０              ＬＥＤユニット
９１              ＬＥＤ光源
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
９９              光源支持部
１０              電源
１１              可変抵抗器
１２              スイッチ
１３、１３ａ      筐体
１３１            下板
１３２            開口部
１３３            空間
１３４            外周面
２０              階段
２０１            踏板
３０              空間
【図１】
2007332566.tif 000003
【図２】
2007332566.tif 000004
【図３】
2007332566.tif 000005
【図４】
2007332566.tif 000006
【図５】
2007332566.tif 000007
【図６】
2007332566.tif 000008
【図７】
2007332566.tif 000009
【図８】
2007332566.tif 000010
【図９】
2007332566.tif 000011
【図１０】
2007332566.tif 000012
【図１１】
2007332566.tif 000013
【図１２】
2007332566.tif 000014
【図１３】
2007332566.tif 000015
【図１４】
2007332566.tif 000016
【図１５】
2007332566.tif 000017